(57)【要約】【課題】ファンの駆動を制御する場合に、ファンから発生する騒音に対するユーザの違和感を低減する。【解決手段】第１の駆動モードまたは第１の駆動モードと比べて回転数が高い第２の駆動モードに前記ファンの駆動を設定するファン駆動手段と、周囲の騒音レベルに応じて、ファン駆動手段によるファンの駆動を第１の駆動モード、または第２の駆動モードに設定させる駆動制御手段と、第１の駆動モードまたは第２の駆動モードでファンを駆動させた場合に電子機器の予測寿命の変化を算出する予測寿命算出手段と、算出された予測寿命の変化を通知する通知手段と、を有する。【選択図】図２
2015225947.tif 000002
【特許請求の範囲】
【請求項１】
ファンを備える電子機器であって、
少なくとも、第１の駆動モードまたは前記第１の駆動モードと比べて回転数が高い第２の駆動モードに前記ファンの駆動を設定するファン駆動手段と、
周囲の騒音レベルに応じて、前記ファン駆動手段による前記ファンの駆動を前記第１の駆動モード、または前記第２の駆動モードに設定させる駆動制御手段と、
前記第１の駆動モードまたは前記第２の駆動モードで前記ファンを駆動させた場合に前記電子機器の予測寿命の変化を算出する予測寿命算出手段と、
前記算出された予測寿命の変化を通知する通知手段と、を有することを特徴とする電子機器。
【請求項２】
前記予測寿命算出手段は、前記電子機器に使用される電子部品の温度に応じた劣化をもとに前記予測寿命の変化を算出する、ことを特徴とする請求項１に記載の電子機器。
【請求項３】
周囲の音を測定する測定部を有し、
前記駆動制御手段は、前記測定部からの出力に応じて前記騒音レベルを判定する、ことを特徴とする請求項１または請求項２のいずれかに記載の電子機器。
【請求項４】
前記駆動制御手段は、ユーザから前記騒音レベルが低い時間帯または前記騒音レベルが高い時間帯の入力を受付け、入力された前記時間帯に対して前記第１の駆動モードまたは前記第２の駆動モードを設定し、
前記予測寿命算出手段は、現在の時間帯に設定された前記第１の駆動モードまたは前記第２の駆動モードから前記予測寿命の変化を算出する、ことを特徴とする請求項１または請求項２のいずれかに記載の電子機器。
【請求項５】
前記騒音レベルを測定する端末と通信する通信部を有し、
前記駆動制御手段は、前記通信部を通じて前記端末から送信される騒音レベルに応じて、前記騒音レベルを判定する、ことを特徴とする請求項１または請求項２のいずれかに記載の電子機器。
【請求項６】
前記駆動制御手段は、前記騒音レベルが低い場合に、前記ファン駆動手段に前記ファンの駆動を前記第２の駆動モードに設定させる、ことを特徴とする請求項１から請求項５のいずれか一項に記載の電子機器。
【請求項７】
前記駆動制御手段は、前記騒音レベルが高い場合に、前記ファン駆動手段に前記ファンの駆動を前記第２の駆動モードに設定させる、ことを特徴とする請求項１から請求項５のいずれか一項に記載の電子機器。
【発明の詳細な説明】
【技術分野】
【０００１】
本発明は、内部にファンを備える電子機器に関する。
【背景技術】
【０００２】
従来、ハードウェアの発熱を抑制することを目的としてファンを備える電子機器が知られている。また、ファンに供給する電圧を変化させて、ファンの回転数を変化させる発明が開示されている（例えば、特許文献１参照）。すなわち、ファンの回転数を高くすることで、ハードウェアの冷却効果を高くすることができる。
【０００３】
冷却効果を高めるためにファンの回転数を上げると、ファンから発せされる騒音がユーザに不快感を与える場合がある。そのため、周囲の騒音を測定し、測定された騒音に応じてファンの駆動（回転数）を制御する発明が開示されている（例えば、特許文献２参照）。
【先行技術文献】
【特許文献】
【０００４】
【特許文献１】特開２０１１−０３１８７６号公報
【特許文献２】特開２０１１−００７９７８号公報
【発明の概要】
【発明が解決しようとする課題】
【０００５】
周囲の騒音レベルによりファンの駆動を制御する場合でも、ファンの騒音が高くなると、ユーザは違和感を覚える。例えば、ファンの回転数が高くなることで、ユーザは装置が故障したと誤解する場合もある。
【０００６】
本発明は、上記課題にかんがみてなされたもので、ファンの駆動を制御する場合に、ファンから発生する騒音に対するユーザの違和感を低減することを目的とする。
【課題を解決するための手段】
【０００７】
・適用例１
上記課題を解決するために、本発明の一態様では、ファンを備える電子機器であって、少なくとも、第１の駆動モードまたは前記第１の駆動モードと比べて回転数が高い第２の駆動モードに前記ファンの駆動を設定するファン駆動手段と、周囲の騒音レベルに応じて、前記ファン駆動手段による前記ファンの駆動を前記第１の駆動モード、または前記第２の駆動モードに設定させる駆動制御手段と、前記第１の駆動モードまたは前記第２の駆動モードで前記ファンを駆動させた場合に前記電子機器の予測寿命の変化を算出する予測寿命算出手段と、前記算出された予測寿命の変化を通知する通知手段と、を有する。
ここで、『寿命』とは、電子機器が劣化によりその機能を果たせなくなった状態を意味し、『製品寿命』の意味で使用する。
また、『予測寿命』とは、電子機器の『寿命』を情報やモデルをもとに算出することを意味する。そのため、『予測寿命の変化』とは、予測寿命算出手段が算出（予測）する予測寿命の値が変化することを意味する。
【０００８】
上記のように構成された発明では、駆動制御手段が第１の駆動モードまたは第２の駆動モードでファンを駆動させた後、予測寿命算出手段は、電子機器の予測寿命の変化を算出する。また、通知手段は、算出された予測寿命の変化を通知する。
そのため、ファンの駆動制御に伴いファンから発せされる騒音が変化した場合でも、電子機器の予測寿命の変化を通知することで、ユーザにファンが制御されたことが理解できる。その結果、ユーザの違和感を軽減することができる。
【０００９】
・適用例２
本発明の一態様では、前記予測寿命算出手段は、前記電子機器に使用される電子部品の温度に応じた劣化をもとに前記予測寿命の変化を算出する。
上記のように構成された発明では、温度変化に影響を受けやすい電子部品の劣化をもとに予測寿命の変化を算出することで、製品の予測寿命の変化をより精度よく通知することができる。
【００１０】
・適用例３
本発明の一態様では、周囲の音を測定する測定部を有し、前記駆動制御手段は、前記測定部からの出力に応じて前記騒音レベルを判定する。
上記のように構成された発明では、測定値をもとに騒音レベルを算出することで、正確なファンの制御を行うことができる。
【００１１】
・適用例４
本発明の一態様では、前記駆動制御手段は、ユーザから前記騒音レベルが低い時間帯または前記騒音レベルが高い時間帯の入力を受付け、入力された前記時間帯に対して前記第１の駆動モードまたは前記第２の駆動モードを設定し、前記予測寿命算出手段は、現在の時間帯に設定された前記第１の駆動モードまたは前記第２の駆動モードから、前記予測寿命の変化を算出する。
上記のように構成された発明では、ユーザにより入力された各時間帯に設定されている駆動モードから予測寿命の変化を算出するため、騒音レベル等の条件の測定を行うためのハードウェアを必要とせず、製品構成をより簡素化することができる。
【００１２】
・適用例５
本発明の一態様では、騒音レベルを測定する端末と通信する通信部を有し、前記駆動制御手段は、前記通信部を通じて、前記端末から送信される騒音レベルに応じて、前記騒音レベルを判定する。
上記のように構成された発明では、電子機器側に測定を行うためのハードウェアを必要とせず、製品構成をより簡素化することができる。
【００１３】
・適用例６
本発明の一態様では、前記駆動制御手段は、前記騒音レベルが低いと判断された場合に、前記ファン駆動手段に前記ファンの駆動を前記第２の駆動モードに設定させる。
上記のように構成された発明では、ユーザが不在の状態等、騒音レベルが低い場合に、ファンの駆動制御を行うため、ユーザの騒音に対する不快感を低減することができる。
【００１４】
・適用例７
本発明の一態様では、前記駆動制御手段は、前記騒音レベルが高いと判断された場合に、前記ファン駆動手段に前記ファンの駆動を前記第２の駆動モードに設定させる。
上記のように構成された発明では、騒音レベルが高い場合に、ファンの駆動制御を行うため、ユーザがファンから生じる騒音が気にならず、ファンから生じる騒音に対するユーザの不快感を低減することができる。
【図面の簡単な説明】
【００１５】
【図１】電子機器の外観を示す外観図。
【図２】電子機器の構成を示すブロック図。
【図３】ファン制御を行う際にメインコントローラが実行する処理を説明するフローチャート。
【図４】図３のステップＳ４において実行する処理を説明するフローチャート。
【図５】騒音レベル算出部６０において取得される測定値を説明する図。
【図６】図３のステップＳ８においてコントロール部２０が実行する処理を説明するフローチャート。
【図７】表示パネル１９に表示される通知画面２００を示す図。
【図８】第２の実施形態において、ファン４０の制御に先立って行われる処理を示すフローチャート。
【図９】第２の実施形態において、表示パネル１９に表示される時間帯設定画面３００を示す図。
【図１０】第２の実施形態において、ファン制御を行う際にメインコントローラが実行する処理を説明するフローチャート。
【図１１】第３の実施形態において、電子機器１０と端末１００との構成を示すブロック図。
【図１２】第３の実施形態において、ファン制御を行う際にメインコントローラが実行する処理を説明するフローチャート。
【図１３】図１２ステップＳ３４で実行される処理を説明するフローチャート。
【発明を実施するための形態】
【００１６】
以下、下記の順序に従って本発明の実施形態を説明する。
１．第１の実施形態：
（１）電子機器の構成
（２）ファン制御方法
２．第２の実施形態：
３．第３の実施形態：
４．第４の実施形態：
５．第５の実施形態：
６．その他の実施形態：
【００１７】
１．第１の実施形態：
（１）電子機器の構成
図１は、電子機器の外観を示す外観図である。
この第１の実施形態では、電子機器として、表示装置１０を例に説明を行う。
表示装置１０は、筺体１１の前面に映像を表示する表示パネル１９を露出させて配置している。表示装置１０は、ユーザがリモコン装置１２を操作することで、このリモコン装置１２から出力されるコマンドに応じて、表示パネル１９にコンテンツを表示させることができる。また、表示装置１０は筺体１１の内部に、ファン４０を備えている。なお、図１では、表示装置１０は、ファン４０を１つ備えているが、ファン４０の数は１つに限定されない。
【００１８】
図２は、表示装置１０の構成を示すブロック図である。
図２に示す表示装置１０は、リモコン受信部１８、表示パネル１９、コントロール部２０、ファン電圧生成部（ファン駆動手段）３０、ファン４０、ＨＤＤ（Hard Disk Drive）５０、騒音レベル算出部６０、マイクロフォン７０と、を備える。
【００１９】
コントロール部２０は、リモコン受信部１８と接続しており、リモコン装置１２から送信されたコマンドをリモコン受信部１８を通じて受信することができる。また、コントロール部２０は、図示しないＣＰＵ、ＲＯＭ、ＲＡＭを備えている。そして、コントロール部２０は、ＲＯＭに記録されたプログラムをＲＡＭに展開して実行することで、周囲の騒音レベルに応じてファン電圧生成部３０によるファン４０の駆動（第１の駆動モード、第２の駆動モード）を設定させる駆動制御手段２１、電子機器の予測寿命の変化を算出する予測寿命算出手段２２、算出された予測寿命の変化を通知する通知手段２３と、を機能的に備える。
【００２０】
コントロール部２０の出力ポートにはファン電圧生成部３０が接続されている。ファン電圧生成部３０は、ファン４０を駆動するための駆動電圧（第１電圧Ｖ１、第２電圧Ｖ２）を生成する。ここで、第１電圧Ｖ１は、ファン４０を回転数Ｎ１ｒｐｍ（Ｎ１は整数）で回転させる電圧である。一方、第２電圧Ｖ２は、ファン４０を回転数Ｎ２ｒｐｍ（Ｎ２はＮ１と比べて大きい整数）で回転させる電圧である。すなわち、この第１電圧Ｖ１では、第２電圧Ｖ２と比べて、ファン４０の駆動と騒音とのバランスを考慮してその値が設定されている。また、第２電圧Ｖ２は、表示装置１０の冷却効果を優先してファン４０を駆動させる電圧である。
【００２１】
ファン電圧生成部３０の出力端子には、ファン４０が接続されている。この第１の実施形態では、ファン４０はＤＣファンであり、ファン電圧生成部３０から出力される駆動電圧（Ｖ１、Ｖ２）により駆動する。無論、ファン４０はＤＣファン以外にも、ＡＣファンであってもよいし、ファン４０の数は１つに限定されない。
【００２２】
コントロール部２０の入出力ポートには、ＨＤＤ５０が接続されている。ＨＤＤ５０は、動画等のコンテンツを記録する磁気ディスクと、この磁気ディスクに対するアクセスを制御するメモリコントローラとを備える。
ＨＤＤ５０のメモリコントローラは、コントロール部２０から温度情報を問合せる要求を受信すると、現在の磁気ディスクの温度を温度情報Ｄとして返信する機能（スマート機能）を備える。そのため、ＨＤＤは温度感知部としても機能する。
無論、温度感値部をＨＤＤ５０のスマート機能により実現することは一例であり、筺体１１内の温度を直接計測するサーミスタ等の温度センサーをコントロール部２０に接続して実現されるものであってもよい。
【００２３】
コントロール部２０の入出力ポートには、騒音レベル算出部６０が接続されている。騒音レベル算出部６０は、マイクロフォン７０が接続されており、このマイクロフォン７０により集音した環境音（騒音レベル）を取得する。例えば、騒音レベル算出部６０は、ＣＰＵ、ＲＯＭ、ＲＡＭを備えるデバイスにより実現される。本発明の測定部は、騒音レベル算出部６０、マイクロフォン７０により実現される。
【００２４】
コントロール部２０の入出力ポートには、表示パネル１９が接続されている。例えば、表示パネル１９は、液晶ディスプレイ、有機ＥＬディスプレイである。
【００２５】
（２）ファン制御方法
次に、表示装置１０におけるファン４０の駆動制御（ファン制御）を説明する。
図３は、ファン制御を行う際にメインコントローラが実行する処理を説明するフローチャートである。以下では、ユーザがファン制御機能をオンにしている場合を例に説明する。
【００２６】
まず、ファン制御機能をオンにしており（ステップＳ１：ＹＥＳ）、ステップＳ２では、コントロール部２０は、温度情報Ｄを取得する。すなわち、コントロール部２０は、ＨＤＤ５０に温度情報Ｄを出力するよう要求する。ＨＤＤ５０はスマート機能により温度情報Ｄをコントロール部２０に出力する。
【００２７】
温度情報Ｄが閾値Ｔ１以上であれば、ステップＳ１０では、コントロール部２０は、ファン電圧生成部３０にファン４０を第２電圧Ｖ２で駆動するよう電圧を設定させる。例えば、閾値Ｔ１は、６５度といった、表示装置１０を強制的に冷却させる必要がある温度である。
【００２８】
一方、温度情報Ｄが閾値Ｔ１未満であれば（ステップＳ３：ＹＥＳ）、ステップＳ４、Ｓ５において、コントロール部２０（駆動制御手段２１）は、騒音レベルを判定する。第１の実施形態では、まず、ステップＳ４において、コントロール部２０は、騒音レベル算出部６０から騒音レベルを取得する。
【００２９】
図４は、図３のステップＳ４においてコントロール部２０が実行する処理を説明するフローチャートである。
ステップＳ４１では、コントロール部２０は、騒音レベル算出部６０から出力される測定値（騒音レベル）を取得する。また、コントロール部２０は、タイマーが経過していなければ（ステップ４２：ＮＯ）、ステップＳ４１の処理に戻り、測定値の取得を繰返す。
【００３０】
図５は、騒音レベル算出部６０において取得される測定値を説明する図である。図５では、横軸を時間ｔとし、縦軸を騒音レベル（ｄＢ）とた場合の騒音レベルの推移を示している。また、図５（ａ）は、周囲に人がいる場合の騒音レベルの推移を示す。また、図５（ｂ）では、周囲に人がいない（不在）の場合の騒音レベルの推移を示す。
【００３１】
図５（ａ）では、時間の変化とともに、騒音レベルのピーク波形Ｐ１が検出されている。例えば、ピーク波形Ｐ１は、人の咳払いや、扉を開け閉めしたときの音など、比較的大きな環境音を示す。また、ピーク波形Ｐ１以外にも、人の不在時（図５（ｂ））と周囲に人がいる場合（図５（ａ））とでは、騒音レベルの波形変化が全体的に大きくなっている。
【００３２】
騒音レベル算出部６０は、図５（ａ）に示す騒音レベルを所定周期でサンプリングし、コントロール部２０に出力する。このとき、騒音レベル算出部６０は、サンプリングした騒音レベルに対してマスク処理を行ない、あるレベル以上の騒音は、コントロール部２０に出力しない構成としてもよい。
【００３３】
ステップＳ４３では、コントロール部２０は、ステップＳ４１、Ｓ４２をもとにサンプリングされた測定値のうち、最大値（ＭＡＸ）と最小値（ＭＩＮ）との差分を算出する。ステップＳ４４では、コントロール部２０は、ステップＳ４３で算出した差分を記録する。また、ステップＳ４３の処理は、騒音レベルのピーク波形Ｐ１を検出して、これを騒音レベルの判定に用いるものであってもよい。
【００３４】
図３に戻り、ステップＳ５では、コントロール部２０（駆動制御手段２１）は、騒音レベルを判定する。この第１の実施形態では、ステップＳ４で取得された騒音レベルの差分をもとに、周囲に人がいるかいないかの判定を行う。具体的には、騒音レベルの差分が閾値Ｔ２未満であれば（ステップＳ５：ＹＥＳ）、ステップＳ６では、コントロール部２０は、ファン電圧生成部３０に第２電圧Ｖ２を設定させる。すなわち、差分（騒音レベル）が低い閾値Ｔ２未満である場合を、周囲に人がいない状態と判定している。ファン電圧生成部３０は、第２電圧Ｖ２が設定されることで、冷却効果を優先させる第２の駆動モードでファン４０を駆動させる。
【００３５】
一方、ステップＳ４により取得された差分が閾値Ｔ２以上であれば（ステップＳ５：ＮＯ）、ステップＳ７では、コントロール部２０は、ファン電圧生成部３０に第１電圧Ｖ１を設定させる。そのため、ファン電圧生成部３０は、騒音を考慮した第１の駆動モードでファン４０を駆動させる。
【００３６】
ステップＳ８では、コントロール部２０（予測寿命算出手段２２）は、予測寿命算出処理を行なう。この予測寿命算出処理では、ファン４０を動作させる場合の、表示装置１０の予測寿命の変化を算出する。
【００３７】
図６は、図３のステップＳ８においてコントロール部２０が実行する処理を説明するフローチャートである。
ステップＳ８１では、コントロール部２０は、タイマーが経過するまでループを繰返す。ここで、タイマーが経過する間、ファン４０は第２の駆動モードでの駆動を継続している。そして、タイマーが経過すると、コントロール部２０は、ステップＳ８２に進む。
【００３８】
ステップＳ８２では、コントロール部２０は、ＨＤＤ５０から温度情報Ｄを取得する。すなわち、ファン４０が第２の駆動モードで駆動したことによる筺体１１内の温度を取得する。
【００３９】
ステップＳ８３では、コントロール部２０は、予測寿命Ｌを算出する。この第１の実施形態では、表示装置１０の予測寿命として、温度の変化による劣化を最も受けやすい電子部品（例えば、コンデンサー）の寿命をもとに、表示装置１０の予測寿命を算出する。例えば、予測寿命Ｌの算出は、下記（式１）を用いて算出される。
Ｌ＝Ｌ０×２（Ｔ０−Ｔ）／１０      …（式１）
ここで、Ｌは、コンデンサーの予測寿命、Ｔはコンデンサーの温度、Ｌ０はコンデンサーの保証寿命、Ｔ０はコンデンサーの最高保証温度、である。
コンデンサーの温度Ｔは、ステップＳ８２において、取得された温度情報Ｄ２をもとに設定される。
【００４０】
ステップＳ８４では、コントロール部２０は、ステップＳ８３で算出した予測寿命Ｌを記録し、図３のフローチャートに戻る。
【００４１】
図３のステップＳ９では、コントロール部２０（通知手段２３）は、通知画面２００を表示する。図７は、表示パネル１９に表示される通知画面２００を示す図である。
図７に示す通知画面２００では、ファン４０を第２の駆動モードで駆動させることで、平均温度が低くなっていることを示す文字列２０１を表示している。また、ファン４０を第２の駆動モードで駆動させることで、表示装置１０の製品寿命が延びたことを通知する文字列２０１も表示している。
なお、ステップＳ９において通知画面２００が表示されるタイミングは、ユーザがリモコン装置１２を操作して、表示装置１０の電源をオンした場合に表示するものでもよい。
そして、コントロール部２０は、ステップＳ１に戻り処理を繰返す。
【００４２】
以上説明したように、この第１の実施形態では、コントロール部２０はファン４０の駆動制御に伴うファンから発せされる騒音の変化に応じて、電子機器の予測寿命の変化を通知する。そのため、ユーザにファンが制御されたことを通知することができる。
【００４３】
また、温度変化に影響を受けやすい電子部品の劣化をもとに予測寿命を算出することができ、製品の予測寿命の変化をより精度よく表示させることができる。
そして、測定値をもとに騒音レベルを算出することで、正確な制御を行うことができる。
さらに、ユーザが不在の状態等、騒音レベルが低い場合にファンの駆動制御を行うため、ユーザの騒音に対する不快感を低減することができる。
【００４４】
２．第２の実施形態：
この第２の実施形態では、騒音レベルが高いまたは低い時間帯をユーザが表示装置１０に予め設定しておき、表示装置１０は登録された時間帯をもとに騒音レベルを判定する構成が第１の実施形態と異なる。
【００４５】
図８は、第２の実施形態において、ファン４０の制御に先立って行われる処理を示すフローチャートである。また、図９は、第２の実施形態において、表示パネル１９に表示される時間帯設定画面３００を示す図である。
【００４６】
図８のステップＳ１０１では、コントロール部２０は、表示パネル１９に時間帯設定画面３００を表示させる。図９に示す時間設定画面では、ユーザが不在となる曜日を示すアイコン３０１と、ユーザが不在となる時間帯を示すアイコン３０２が表示される。これ以外にも、ユーザが在宅する時間帯を示すアイコンを表示するものであってもよい。
【００４７】
ステップＳ１０２では、コントロール部２０は、ユーザから騒音レベルが低くなる時間帯の入力を受付ける。例えば、ユーザがリモコン装置を操作して、時間帯設定画面３００に表示されたアイコン３０１、３０２の選択を行う。
【００４８】
図８のステップＳ１０３では、コントロール部２０は、ステップＳ１０２で入力された時間帯をもとに、騒音レベルが低くなる時間帯を示す参照テーブルを作成する。
【００４９】
次に、コントロール部２０が作成した参照テーブルをもとに、ファンの駆動を制御する手法を説明する。
図１０は、第２の実施形態において、ファン制御を行う際にメインコントローラが実行する処理を説明するフローチャートである。
【００５０】
まず、ファン制御機能をオンにしていれば（ステップＳ１１１：ＹＥＳ）、ステップＳ１１２では、コントロール部２０は、温度情報Ｄを取得する。
温度情報Ｄが閾値Ｔ１未満であれば（ステップＳ１１３：ＹＥＳ）、コントロール部２０は、騒音レベルを判定する。この第２の実施形態では、コントロール部２０は、参照テーブルをもとに騒音レベルを取得する。
一方、温度情報Ｄが閾値Ｔ１以上であれば、ステップＳ１２０では、コントロール部２０は、ファン電圧生成部３０にファン４０を第２電圧Ｖ２で駆動するよう電圧を設定させる。
【００５１】
そのため、まず、ステップＳ１１４では、コントロール部２０は、作成された参照テーブルを読み出す。
参照テーブルに記録された日時（ユーザが入力した騒音レベルが低くなる時間帯）と、現在の日時とが一致する場合（ステップＳ１１５：ＹＥＳ）、ステップＳ１１６に進む。すなわち、この第２の実施形態では、参照テーブルに記録された日時をもとに騒音レベルを判定する。
ステップＳ１１６では、コントロール部２０は、ファン電圧生成部３０に第２電圧Ｖ２を設定させる。そのため、ファン電圧生成部３０は、冷却効果を優先した第２の駆動モードでファン４０を駆動させる。
【００５２】
一方、参照テーブルに記録された日時と、現在の日時とが一致しない場合（ステップＳ１１５：ＮＯ）、コントロール部２０は、ステップＳ１１７に進む。ステップＳ１１７では、コントロール部２０は、ファン電圧生成部３０に第１電圧Ｖ１を設定させる。そのため、ファン電圧生成部３０は、ファン４０を騒音の低減を優先した第１の駆動モードで駆動させる。
【００５３】
ステップＳ１１８では、コントロール部２０（予測寿命算出手段２２）は、予測寿命算出処理を行なう。この予測寿命算出処理では、ファン４０を動作させる場合の、表示装置１０の予測寿命の変化を算出する。
【００５４】
ステップＳ１１９では、コントロール部２０（通知手段２３）は、通知画面２００を表示する。すなわち、第１の実施形態と同様、表示パネル１９には、通知画面２００が表示される。
そして、コントロール部２０は、ステップＳ１１１に戻り処理を繰返す。
【００５５】
以上説明したようにこの第２の実施形態では、第１の実施形態で奏する効果に加えて以下の効果を奏する。すなわち、駆動制御手段２１は、ユーザから騒音レベルが低い時間帯または騒音レベルが高い時間帯の入力を受付け、入力された時間帯に応じて駆動モードを設定する。そして、予測寿命算出手段２２は、入力された時間帯に対応する駆動モードから、騒音レベルを判定する。そのため、周囲の環境音を測定するためのハードウェアを備える必要がなくなる。具体的には、表示装置１０は、騒音レベル算出部６０やマイクロフォン７０を備えなくとも、本発明を実現することができる。
【００５６】
３．第３の実施形態：
この第３の実施形態では、スマートフォン等の端末から測定値（騒音レベル）を取得し、この測定値に基づいてファン４０の制御を行う構成が他の実施形態と異なる。
【００５７】
この第３の実施形態では、表示装置１０と端末１００とは、ＬＡＮ（Local Area Network）に接続されている。また、表示装置１０と端末１００とは、ＵＰｎＰ（Universal Plug and Play）のプロトコルに従ってファイルを共有することができる。
【００５８】
図１１は、第３の実施形態において、電子機器１０と端末１００との構成を示すブロック図である。図１１に示す表示装置１０は、リモコン受信部１８、表示パネル１９、コントロール部２０、ファン電圧生成部３０、ファン４０、ＨＤＤ５０、ＵＰｎＰのプロトコルに従って端末１００と通信する通信部８０と、を備える。なお、第３の実施形態において第１の実施形態と同じ符号を付した箇所は同一の機能を有するため、説明を省略する。
【００５９】
また、端末１００は、コントロール部１０１と、周囲の騒音を集音するマイクロフォン１０２と、電子機器１０の通信部８０と通信する通信部１０３と、コントロール部１０１が実行するプログラムが記録されたフラッシュメモリ１０４と、ＧＰＳセンサー１０５と、を備える。
【００６０】
次に、第３の実施形態において、ファンの駆動を制御する手法を説明する。
図１２は、第３の実施形態において、ファン制御を行う際にメインコントローラが実行する処理を説明するフローチャートである。
【００６１】
まず、ファン制御機能をオンにしている場合（ステップＳ１２１：ＹＥＳ）、ステップＳ１２２では、コントロール部２０は、温度情報Ｄを取得する。
温度情報Ｄが閾値Ｔ１未満であれば（ステップＳ１２３：ＹＥＳ）、ステップＳ１２４、Ｓ１２５では、コントロール部２０は、騒音レベルを判定する。この第３の実施形態では、コントロール部２０は、端末１００が測定した騒音レベルを判定する。
一方、温度情報Ｄが閾値Ｔ１以上であれば、ステップＳ１３０では、コントロール部２０は、ファン電圧生成部３０にファン４０を第２電圧Ｖ２で駆動するよう電圧を設定させる。
【００６２】
図１３は、第３の実施形態において、図１２ステップＳ１２４で実行される処理を説明するフローチャートである。
ステップＳＡ１４１、ＳＢ１４１では、表示装置１０と端末１００との間でペアリングが行なわれる。このペアリングにより、表示装置１０と端末１００との間で互いを識別するためのアドレス（例えば、ＩＰアドレス）が特定される。
【００６３】
ステップＳＢ１４２では、コントロール部１０１は、予めユーザによって設定された時間（設定時間）まで待機する。この設定時間は、周囲の騒音を集音するためにユーザにより設定された時間である。設定時間が経過すると（ステップＳＢ１４２：ＹＥＳ）、ステップＳＢ１４３では、コントロール部１０１は、騒音レベルの測定を開始する。すなわち、コントロール部１０１は、マイクロフォン１０２を通じて入力される騒音を測定する。ステップＳＢ１４４では、コントロール部１０１は、測定値（騒音レベル）を、通信部１０３を通じて、表示装置１０に送信する。そして、タイマーの計時により設定時間が経過していなければ（ステップＳＢ１４５：ＮＯ）、コントロール部１０１は、測定を継続する。
設定時間が経過すると（ステップＳＢ１４５：ＹＥＳ）、コントロール部１０１は処理を終了する。
【００６４】
一方、表示装置１０のコントロール部２０は、設定時間まで待機している。そして、設定時間が経過すると（ステップＳ１４２：ＹＥＳ）、ステップＳＡ１４３では、コントロール部２０は、通信部６０を通じて、端末１００から測定値を受信する。そして、タイマーの計時により設定時間が経過するまでは（ステップＳＡ１４４：ＮＯ）、コントロール部２０は、計測値の受信を継続する。そして、設定時間が経過すると（ステップＳＡ１４４：ＹＥＳ）、コントロール部２０は処理を終了する。
【００６５】
図１２に戻り、端末１００から取得した騒音レベルが閾値Ｔ３以上であれば（ステップＳ１２５：ＹＥＳ）、ステップＳ１２６に進む。ステップＳ１２６では、コントロール部２０は、ファン電圧生成部３０に第２電圧Ｖ２を設定させる。この第３の実施形態では、騒音レベルが高い場合に、ファン４０を第２の動作モードで駆動させる。
【００６６】
一方、端末１００から取得した騒音レベルが閾値Ｔ３未満であれば（ステップＳ１２５：ＮＯ）、コントロール部２０は、ステップＳ１２７に進む。ステップＳ１２７では、コントロール部２０は、ファン電圧生成部３０に第１電圧Ｖ１を設定させる。そのため、この第３の実施形態では、騒音レベルが低い場合は、ファン４０を第１の動作モードで駆動させる。
【００６７】
ステップＳ１２８では、コントロール部２０（予測寿命算出手段２２）は、予測寿命算出処理を行なう。この予測寿命算出処理では、ファン４０を動作させる場合の、表示装置１０の予測寿命の変化を算出する。
【００６８】
ステップＳ１２９では、コントロール部２０（通知手段２３）は、通知画面２００を表示する。すなわち、第１の実施形態と同様、表示パネル１９には、通知画面２００が表示される。
そして、コントロール部２０は、ステップＳ１２１に戻り処理を繰返す。
【００６９】
以上説明したようにこの第３の実施形態では、第１の実施形態で奏する効果に加えて以下の効果を奏する。
表示装置１０は、端末１００が測定した騒音レベルをもとにファン４０を制御するため、表示装置１０にハードウェア（騒音レベル算出部６０、マイクロフォン７０）を備えることなく本発明を適用することができる。
また、騒音レベルが高い場合に、ファンの駆動制御を行うため、ユーザがファンから生じる騒音が気にならず、ユーザの騒音に対する不快感を低減することができる。
【００７０】
４．第４の実施形態：
第３の実施形態において、端末１００が騒音の集音を開始する条件（図１３、ＳＢ１４２）として、ＧＰＳセンサー１０５が、登録された座標に端末１００が位置したことを検出したことを条件としてもよい。
上記のように構成することで、端末１００が表示装置１０の周囲の特定の座標（位置）にいる場合にのみ、騒音レベルを測定するため、表示装置１０の周囲の温度をより正確に測定することができる。
【００７１】
５．第５の実施形態：
第３の実施形態において、表示装置１０が備える実行ファイルを端末１００がＵＰｎＰのプロトコルに従い共有し、この実行ファイルにより端末１００が騒音の集音を開始する条件としてもよい。
【００７２】
６．その他の実施形態：
電子機器として、表示装置を例に説明したことは一例に過ぎない。電子機器は、表示装置以外にも、ファンを備えるものであれば、レコーダー、プレーヤー、ＰＣ等どのようなものであってもよい。
また、上述した各実施形態において、ファン４０を第２の駆動モードで駆動する条件は、一例にすぎない。例えば、第１、第２の実施形態において、騒音レベルが閾値以上である場合（すなわち騒音レベルが高い場合）に、第２の駆動モードでファン４０を駆動させるものであってもよい。
そして、ファン４０の駆動モードは２つ（第１の駆動モード、第２の駆動モード）に限定されず、複数の駆動モードであってもよい。
【００７３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００７４】
１０…表示装置、１１…筺体、１２…リモコン装置、１８…リモコン受信部、１９…表示パネル、２０…コントロール部、２１…駆動制御手段、２２…予測寿命算出手段、２３…通知手段、３０…ファン電圧生成部、４０…ファン、５０…ＨＤＤ、６０…騒音レベル算出部、７０…マイクロフォン
【図１】
2015225947.tif 000003
【図２】
2015225947.tif 000004
【図３】
2015225947.tif 000005
【図４】
2015225947.tif 000006
【図５】
2015225947.tif 000007
【図６】
2015225947.tif 000008
【図７】
2015225947.tif 000009
【図８】
2015225947.tif 000010
【図１０】
2015225947.tif 000011
【図１１】
2015225947.tif 000012
【図１２】
2015225947.tif 000013
【図１３】
2015225947.tif 000014
【図９】
2015225947.tif 000015